(57)【要約】【課題】  現地で大量に発生する掘削土などを有効に利用して、低コストでかつ容易に構築することのできる補強土構造物を提供する。【解決手段】  複数の補強土ブロック１を複数層に積層する。補強土ブロック１は上段になるにつれて徐々に後退し、階段状に積層する。補強土ブロック１の背面側に盛土２を入念に転圧しながら充填する。盛土２内に複数の盛土補強材３を複数層に布設する。盛土補強材３の端部を補強土ブロック１に定着する。補強土ブロック１は補強土用枠体４内に現地で大量に発生する盛土２を充填することにより形成する。盛土補強材３は各段の補強土ブロック１ごと、または一段ないし数段おきに布設し、補強土ブロック１の補強土用枠体４の帯状基材に巻き掛けることにより補強土ブロック１に定着する。【選択図】                  図１
2006063563.tif 000002
【特許請求の範囲】
【請求項１】
複数の補強土ブロックを複数層に積層し、その背面側に複数の盛土補強材を複数層に布設しつつ盛土を充填してなる補強土構造物において、前記補強土ブロックは紙、不織布または布からなる帯状基材に樹脂または瀝青材を含浸させて形成された補強土用枠体内に盛土を充填して形成し、かつ当該補強土ブロックに前記盛土補強材の端部を結合してなることを特徴とする補強土構造物。
【請求項２】
補強土用枠体は複数の帯状基材どうしを縫い糸、または縫い糸と接着剤で部分的に結合することにより複数のセルに仕切られた枠状に形成されてなることを特徴とする請求項１記載の補強土構造物。
【請求項３】
帯状基材に樹脂または瀝青材として１０g/ｍ2 〜５０g/ｍ2 量の熱硬化性樹脂または熱可塑性樹脂を含浸してなることを特徴とする請求項１または２記載の補強土構造物。
【請求項４】
複数の補強土用枠体をセットバックさせながら複数層に積層し、かつ各補強土用枠体内に盛土を充填してなることを特徴とする請求項１〜３のいずれかに記載の補強土構造物。
【請求項５】
各補強土用枠体内に盛土として植生土または固結材を充填してなることを特徴とする請求項１〜４のいずれかに記載の補強土構造物。
【請求項６】
盛土補強材の反対側端部は、地山に定着されてなることを特徴とする請求項１〜５のいずれかに記載の補強土構造物。
【発明の詳細な説明】
【技術分野】
【０００１】
本願発明は補強土構造物に関し、例えば道路や宅地などに面する擁壁などとして構築される。
【背景技術】
【０００２】
例えば図１０は、道路などに面する擁壁として構築された補強土構造物の一例を示し、図において、符号２０は転圧しつつ所定の高さに構築された盛土、２１はこの盛土２０の先端部に複数段に積層され、盛土２０の先端側を崩壊しないように保持する壁面材、そして符号２２は盛土２０内に複数層に埋設され、かつ壁面材２１に連結され、盛土層２０の沈下、移動、流失等を防止するとともに壁面材２１を盛土２０の先端部に固定する盛土補強材である。
【特許文献１】特開昭５６−１６７３０号公報
【発明の開示】
【発明が解決しようとする課題】
【０００３】
しかし、壁面材２１は主に鉄筋コンクリート製のパネルまたはブロックとして成形され非常に重いため、一枚一枚または一個一個積層する作業は困難を強いられ、特に、壁面パネルは相当大きな土圧を受けることから、充分な強度を持たせるために相当厚く成形され、重量がさらに増して運搬、設置等の取り扱いが非常に困難である等の課題があった。
【０００４】
本願発明は以上の課題を解決するためになされたもので、特に現地で大量に発生する掘削土などを有効に利用して、道路に面する擁壁などの補強土構造物を低コストでかつ容易に構築することができる補強土構造物を提供することを目的とする。
【課題を解決するための手段】
【０００５】
請求項１記載の補強土構造物は、複数の補強土ブロックを複数層に積層し、その背面側に複数の盛土補強材を複数層に布設しつつ盛土を充填してなる補強土構造物において、前記補強土ブロックは紙、不織布または布からなる帯状基材に樹脂または瀝青材を含浸させて形成された補強土用枠体内に盛土を充填して形成し、かつ当該補強土ブロックに前記盛土補強材の端部を結合してなることを特徴とするものである。
【０００６】
本願発明は、現地で大量に発生する掘削土などを有効に活用し、道路などに面する擁壁などの補強土構造物を低コストで容易に構築することができるものであり、特に補強土用枠体は紙、不織布、布などからなる帯状基材に樹脂または瀝青材を含浸して形成されているため、枠体として必要な可とう性と自立性をほどよく有し、また非常に軽量で取り扱いの容易な土木用資材といえるものである。さらに、帯状基材の表面に植生マットを添え付ける等の方法によって簡単に緑化することもできる。
【０００７】
請求項２記載の補強土構造物は、請求項１記載の補強土構造物において、補強土用枠体は複数の帯状基材どうしを縫い糸、または縫い糸と接着剤で部分的に結合することにより複数のセルに仕切られた枠状に形成されてなることを特徴とするものである。
【０００８】
本願発明の場合、帯状基材どうしの結合が縫い糸、または縫い糸と接着剤によって行われ、溶接や連結金具が使用されないため帯状基材どうしの結合が容易で補強土用枠体を容易に製作することができる。
【０００９】
また、補強土用枠体の現地への搬入の際やストックの際などは、例えば図１(ｃ)に図示するように、補強土用枠体を扁平な状態に押し潰しておき、施工の際に例えば図１(ｂ)に図示するように伸展させて用いることができるため取り扱いが容易である。
【００１０】
請求項３記載の補強土構造物は、請求項１または２記載の補強土構造物において、帯状基材に樹脂または瀝青材として１０g/ｍ2 〜５０g/ｍ2 量の熱硬化性樹脂または熱可塑性樹脂を含浸してなることを特徴とするものである。
【００１１】
この場合、樹脂または瀝青材(アスファルト、タール、ピッチ等)の含浸量により帯状基材の可とう性と自立性、さらには透水性を自由に調整することができ、特に１０g/ｍ2 〜５０g/ｍ2 量の範囲が盛土を充填して転圧する際の衝撃に充分耐え得る剛性と浸透した雨水を速やかに排水可能な排水性を有し、また非常に経済的といえる。
【００１２】
なお、熱可塑性樹脂には、例えばポリエチレン、ポリプロピレン、ポリ塩化ビニル等を用いることができ、熱硬化性樹脂には、例えばフェノール樹脂、エポキシ樹脂などを用いることができる。
【００１３】
請求項４記載の補強土構造物は、請求項１〜３のいずれかに記載の補強土構造物において、複数の補強土用枠体をセットバックさせながら複数層に積層し、かつ各補強土用枠体内に盛土を充填してなることを特徴とするものである。
【００１４】
請求項５記載の補強土構造物は、請求項１〜４のいずれかに記載の補強土構造物において、各補強土用枠体内に盛土として植生土または固結材を充填してなることを特徴とするものである。この場合の固結材としては、例えばモルタル、軽量モルタル、発泡モルタル、ソイルセメント、流動化土、発泡ウレタン、発泡スチロール、フライアッシュモルタル等を用いることができる。
【００１５】
請求項６記載の補強土構造物は、請求項１〜５のいずれかに記載の補強土構造物において、盛土補強材の反対側端部は、地山に定着されてなることを特徴とするものである。
【発明の効果】
【００１６】
本願発明は、現地で大量に発生する掘削土などを有効に利用して、道路に面する擁壁などの補強土構造物を非常に低コストでかつ容易に構築することができ、また軽量化により耐震性にも優れている。
【発明を実施するための最良の形態】
【００１７】
図１〜図４は、本願発明に係る補強土構造物の一例を示し、図において、複数の補強土ブロック１が複数層に積層され、その背面側に盛土２が入念に転圧しながら充填され、かつ盛土２内に複数の盛土補強材３が複数層に布設されている。
【００１８】
補強土ブロック１は補強土用枠体４内に現地で大量に発生する盛土２を充填することにより形成され、また補強土ブロック１は上段になるにつれて徐々に後退し、階段状に積層されている。
【００１９】
盛土補強材３は各段の補強土ブロック１ごと、または一段ないし数段おきに布設され、また各盛土補強材３は補強土ブロック１の補強土用枠体４の帯状基材(後述する)に巻き掛けることにより補強土ブロック１に結合されている。
【００２０】
ここで、特に補強土用枠体（以下「枠体」という）４は紙、不織布、または布等から所定幅、所定長さに形成された２枚または４枚の帯状基材４ａ，４ａを重ね合わせるとともに、縫い糸、または縫い糸と接着剤の両方で所定間隔おきに結合し(以下「結合部分」を「結合部４ｂ」という)、かつ結合部４ｂ，４ｂ 間(以下、「拡径部４ｃ」という)を帯状基材４ａ，４ａの面外方向に拡径することにより、拡径部４ｃが盛土を充填可能な正六角形またはひし形のセル４ｄをなすように形成されている。
【００２１】
また、結合部４ｂ，４ｂと拡径部４ｃに熱可塑性樹脂または熱硬化性樹脂（以下「樹脂」という）が含浸され、特に結合部４ｂには充分な量の樹脂が含浸され、拡径部４ｃには１０g/ｍ2 〜５０g/ｍ2 量の樹脂が含浸されている。これにより、結合部４ｂは特に透水性はないが、大きな自立性と可撓性を有し、一方拡径部４ｃは自立性と可撓性、さらに透水性を有している。
【００２２】
なお、拡径部４ｃの含浸量が１０g/ｍ2 未満だと剛性が小さく充分な自立性を確保できない。また、拡径部４ｃの含浸量が５０g/ｍ2 を超えると透水性が低く充分な排水機能が得られず、一般に１０g/ｍ2 〜５０g/ｍ2 以内で自立性、可撓性、さらに透水性（ｋ＞１０-1ｃｍ／ｓ）を有する。
【００２３】
結合部４ｂと拡径部４ｃがこのように形成されていることにより、枠体４は各セル４ｄ内に盛土２を投入して転圧する際の衝撃にも充分耐えることができ、またセル４ｄ内に浸透した雨水が拡径部４ｃから速やかに排水されるため、枠体４が盛土２の重みで変形することもない。
【００２４】
また、結合部４ｂを縫い糸のみで、または縫い糸と接着剤の両方で結合することで、結合部４ｂと拡径部４ｃの両方に透水性を保持させることができ、また結合部４ｂを強固に結合可能なだけでなく、接着剤の節約にもなる。
【００２５】
盛土補強材３は、補強土用枠体４と同様に樹脂を含浸させた帯状基材または、盛土補強材として一般に用いられているジオテキスタイルや金網類などが使用されている。
【００２６】
なお、枠体４の各セル４ｄ内に現地で大量に発生する採掘土の他、軽量モルタル、発泡モルタル、発泡ウレタン、発泡スチロール、フライアッシュモルタル、あるいはソイルセメント等を充填してもよい。また、枠体４の表面部に緑化マットを設置して緑化を図ることもできる。
【００２７】
図５〜図８は、補強土構造物の他の例を示し、図において、特に補強土用枠体(以下「枠体」という)５は、２枚ないし３枚の帯状基材５ａ，５ａを平行に延在し、この隣接する帯状基材５ａ，５ａ間に複数の連結基材５ｂを所定間隔おきに配置するとともに、その両端を帯状基材５ａ，５ａに縫い糸、または縫い糸と接着剤の両方で結合することにより盛土を充填可能なセル５ｄを複数備えて形成されている。
【００２８】
また、帯状基材５ａと連結基材５ｂとの結合部５ｃに充分な量の樹脂が含浸され、それ以外の部分に１０g/ｍ2 〜５０g/ｍ2 量の含浸樹脂が含浸されている。なお、連結基材５ｂは例えば図８(ｂ)に図示するように帯状基材５ａの長手方向に交互にずらして(千鳥配置)配置されていてもよい。
【００２９】
盛土補強材３は各段または複数段の補強度ブロック１、または補強土用枠体５の帯状基材５ａに巻き掛けて定着されている。例えば図５(ａ)，(ｂ)に図示する例の場合、盛土補強材３は二段の補強土用枠体５の帯状基材５ａに巻き掛けて定着され、図６(ａ)に図示する例の場合、盛土補強材３は複数段の補強土ブロック１に巻き掛けて定着されている。
【００３０】
また、図９(ａ)，(ｂ)は、同じく補強土構造物の変形例を示し、特に各段の補強土用枠体４がセットバックして積層され、かつ各補強土用枠体４内に盛土２が充填されている。また、各盛土補強材３の反対側の端部は地山にアンカー部材７によってそれぞれ定着されている。
【００３１】
なお、いずれの例においても、補強土ブロック１の近傍に盛土補強材３とは別にジオテキスタイルや金網網などからなる盛土補強材６を複数層に布設することで、補強土ブロック１と盛土２表層部の一体化を図ることができる。
【産業上の利用可能性】
【００３２】
本願発明は、現地で大量に発生する掘削土などを有効に利用し、擁壁などの補強土構造物を低コストで容易に構築することができる。
【図面の簡単な説明】
【００３３】
【図１】(ａ)は補強土構造物の一例を示す一部斜視図、(ｂ)，(ｃ)は補強土用枠体を示し、(ｂ)はその一部斜視図、(ｃ)は扁平な状態に畳まれた状態を示す補強土用枠体の一部斜視図である。
【図２】(ａ)は補強土構造物の一例を示す一部斜視図、(ｂ)，(ｃ)は補強土用枠体を示し、(ｂ)はその一部斜視図、(ｃ)は扁平な状態に畳まれた状態を示す補強土用枠体の一部斜視図である。
【図３】(ａ)，(ｂ)は補強土用枠体の一例を示し、(ａ)はその一部斜視、(ｂ)は扁平な状態に畳まれた状態を示す補強土用枠体の一部斜視図である。
【図４】(ａ)，(ｂ)は補強土用枠体の一例を示し、(ａ)はその一部斜視、(ｂ)は扁平な状態に畳まれた状態を示す補強土用枠体の一部斜視図である。
【図５】(ａ)，(ｂ)は補強土構造物の一例を示す一部斜視図である。
【図６】補強土構造物の一例を示す一部縦断面図である。
【図７】(ａ)，(ｂ)は補強土用枠体の一例を示し、(ａ)はその一部斜視、(ｂ)は扁平な状態に畳まれた状態を示す補強土用枠体の一部斜視図である。
【図８】(ａ)は補強土構造物の一例を示す一部斜視図、(ｂ)，(ｃ)は補強土用枠体を示し、(ｂ)はその一部斜視図、(ｃ)は扁平な状態に畳まれた状態を示す補強土用枠体の一部斜視図である。
【図９】(ａ)は補強土構造物の一例を示す一部縦断面図、(ｂ)は盛土補強材とアンカー部材を示す一部平面図である。
【図１０】従来の補強土構造物の一例を示す一部縦断面図である。
【符号の説明】
【００３４】
１  補強土ブロック
２  盛土
３  盛土補強材
４  枠体(補強土用枠体)
５  枠体(補強土用枠体)
６  盛土補強材
７  アンカー部材
【図１】
2006063563.tif 000003
【図２】
2006063563.tif 000004
【図３】
2006063563.tif 000005
【図４】
2006063563.tif 000006
【図５】
2006063563.tif 000007
【図６】
2006063563.tif 000008
【図７】
2006063563.tif 000009
【図８】
2006063563.tif 000010
【図９】
2006063563.tif 000011
【図１０】
2006063563.tif 000012